【手続補正書】
【提出日】平成26年6月26日(2014.6.26)
【手続補正１】
【補正対象書類名】特許請求の範囲
【補正対象項目名】全文
【補正方法】変更
【補正の内容】
【特許請求の範囲】
【請求項１】
配電系統から供給される電力および太陽光発電装置の発電電力を充電し、負荷に電力を供給する電池と、
前記太陽光発電装置の発電電力を前記負荷に対して供給可能とし、かつ、前記太陽光発電装置の発電電力のうち余剰電力を売電するモードまたは前記太陽光発電装置の発電電力のうち余剰電力を前記電池に充電するモードで動作させることが可能な制御部と、
を有する蓄電池システム。
【請求項２】
前記制御部は、前記太陽光発電装置の発電電力を前記電池に蓄積された電力よりも優先して前記負荷に供給する動作をさせることが可能である請求項１記載の蓄電池システム。
【請求項３】
前記制御部は、前記太陽光発電装置の発電電力を前記電池に蓄積された電力よりも優先して前記負荷に供給する動作において、
前記太陽光発電装置の発電電力のうち余剰電力を売電するモードまたは前記太陽光発電装置の発電電力のうち余剰電力を前記電池に充電するモードで動作させることが可能である請求項２記載の蓄電池システム。
【請求項４】
前記制御部は、前記電池に蓄積された電力を前記太陽光発電装置の発電電力よりも優先して前記負荷に供給する動作をさせることが可能である請求項１記載の蓄電池システム。
【請求項５】
前記制御部は、前記電池に蓄積された電力を前記太陽光発電装置の発電電力よりも優先して前記負荷に供給する動作において、
前記太陽光発電装置の発電電力のうち余剰電力を売電するモードまたは前記太陽光発電装置の発電電力のうち余剰電力を前記電池に充電するモードで動作させることが可能である請求項４記載の蓄電池システム。
【請求項６】
前記制御部は、前記太陽光発電装置の発電電力を前記電池に蓄積された電力よりも優先して前記負荷に供給する動作、または前記電池に蓄積された電力を前記太陽光発電装置の発電電力よりも優先して前記負荷に供給する動作において、
前記太陽光発電装置の発電電力のうち余剰電力を売電するモードまたは前記太陽光発電装置の発電電力のうち余剰電力を前記電池に充電するモードで動作させることが可能である請求項１記載の蓄電池システム。
【請求項７】
前記制御部は、前記太陽光発電装置で発生した余剰電力を売電するモードにおいて、前記太陽光発電装置の発電電力のうち前記負荷で使用されない電力を前記配電系統へ逆潮流させる請求項１記載の蓄電池システム。
【請求項８】
前記余剰電力は、前記太陽光発電装置の発電電力から前記負荷の総消費電力を差し引いた電力である請求項１記載の蓄電池システム。
【請求項９】
前記制御部は、前記太陽光発電装置の発電電力を前記電池に蓄積された電力よりも優先して前記負荷に供給する動作において、前記太陽光発電装置が前記配電系統と連系する連系点よりも前記配電系統側で前記負荷に供給される電力が０よりも大きい場合、前記電池から前記負荷へ電力を供給する請求項３記載の蓄電池システム。
【請求項１０】
前記制御部は、前記太陽光発電装置の発電電力を前記電池に蓄積された電力よりも優先して前記負荷に供給する動作では、前記太陽光発電装置が前記配電系統と連系する連系点よりも前記配電系統側で前記負荷に供給される電力が０よりも大きい場合、前記電池から前記負荷へ電力を供給し、
前記電池に蓄積された電力を前記太陽光発電装置の発電電力よりも優先して前記負荷に供給する動作では、前記太陽光発電装置が前記配電系統と連系する連系点よりも前記負荷側で前記負荷に供給される電力が０よりも大きい場合、前記太陽光発電装置から前記負荷へ電力を供給する請求項６記載の蓄電池システム。
【請求項１１】
前記制御部は、前記太陽光発電装置の発電電力を前記電池に蓄積された電力よりも優先して前記負荷に供給する動作では、前記負荷に供給される電力として、前記太陽光発電装置が前記配電系統と連系する連系点よりも前記配電系統側の電力の測定結果を用い、
前記電池に蓄積された電力を前記太陽光発電装置の発電電力よりも優先して前記負荷に供給する動作では、前記負荷に供給される電力として、前記太陽光発電装置が前記配電系統と連系する連系点よりも前記負荷側の電力の測定結果を用いる請求項６記載の蓄電池システム。
【請求項１２】
配電系統からの電力および分散型電源からの電力が供給され、負荷に電力を供給する電池と、
前記分散型電源からの電力を前記負荷に対して供給可能とし、かつ、前記分散型電源からの電力を前記配電系統に供給する動作または前記分散型電源からの電力を前記電池に供給する動作を行うことが可能である制御部と、
を有する蓄電池システム。
【請求項１３】
前記制御部は、前記分散型電源からの電力を前記配電系統に供給する動作または前記分散型電源からの電力を前記電池に供給する動作のいずれかを選択する請求項１２記載の蓄電システム。
【請求項１４】
配電系統から供給される電力および太陽光発電装置の発電電力を充電し、負荷に電力を供給する電池を有する蓄電池システムに対して、
前記太陽光発電装置の発電電力を前記負荷へ供給可能とし、かつ、前記太陽光発電装置の発電電力のうち余剰電力を売電する動作または前記太陽光発電装置の発電電力のうち余剰電力を前記電池に充電する動作をさせることが可能である蓄電池制御装置。
【請求項１５】
前記電池に充電された電力よりも前記太陽光発電装置の発電電力を優先して前記負荷に供給する動作をさせることが可能である請求項１４記載の蓄電池制御装置。
【請求項１６】
前記太陽光発電装置の発電電力よりも前記電池に充電された電力を優先して前記負荷に供給する動作をさせることが可能である請求項１４記載の蓄電池制御装置。
【請求項１７】
前記電池に充電された電力よりも前記太陽光発電装置の発電電力を優先して前記負荷に供給する動作において、
前記太陽光発電装置の発電電力のうち余剰電力を売電する動作または前記太陽光発電装置の発電電力のうち余剰電力を前記電池に充電する動作をさせることが可能である請求項１５記載の蓄電池制御装置。
【請求項１８】
前記太陽光発電装置の発電電力よりも前記電池に充電された電力を優先して前記負荷に供給する動作において、
前記太陽光発電装置で発生した余剰電力を売電する動作、または、前記太陽光発電装置で発生した余剰電力を前記電池に充電する動作をさせることが可能である請求項１６記載の蓄電池制御装置。
【請求項１９】
配電系統から供給される電力および太陽光発電装置の発電電力を充電し、負荷に電力を供給する電池を有する蓄電池システムに対して、
前記電池に充電された電力よりも前記太陽光発電装置の発電電力を優先して前記負荷に供給する動作、または、
前記太陽光発電装置の発電電力よりも前記電池に充電された電力を優先して前記負荷に供給する動作をさせることが可能である蓄電池制御装置。
【請求項２０】
前記太陽光発電装置で発生した余剰電力を売電する動作、または、前記太陽光発電装置で発生した余剰電力を前記電池に充電する動作をさせる請求項１９記載の蓄電池制御装置。
【請求項２１】
配電系統から供給される電力および太陽光発電装置の発電電力を電池に充電し、前記電池から負荷に電力を供給し、
前記太陽光発電装置の発電電力を前記負荷に対して供給可能とし、かつ、
前記太陽光発電装置の発電電力のうち余剰電力を売電するモードまたは前記太陽光発電装置の発電電力のうち余剰電力を前記電池に充電するモードで動作させることを可能とする蓄電池システムの制御方法。
【請求項２２】
前記太陽光発電装置の発電電力を前記電池に蓄積された電力よりも優先して前記負荷に供給する動作をさせることを可能とする請求項２１記載の蓄電池システムの制御方法。
【請求項２３】
前記太陽光発電装置の発電電力を前記電池に蓄積された電力よりも優先して前記負荷に供給する動作において、
前記太陽光発電装置の発電電力のうち余剰電力を売電するモードまたは前記太陽光発電装置の発電電力のうち余剰電力を前記電池に充電するモードで動作させることを可能とする請求項２２に記載の蓄電池システムの制御方法。
【請求項２４】
前記電池に蓄積された電力を前記太陽光発電装置の発電電力よりも優先して前記負荷に供給する動作をさせることを可能とする請求項２１記載の蓄電池システムの制御方法。
【請求項２５】
前記電池に蓄積された電力を前記太陽光発電装置の発電電力よりも優先して前記負荷に供給する動作において、
前記太陽光発電装置の発電電力のうち余剰電力を売電するモードまたは前記太陽光発電装置の発電電力のうち余剰電力を前記電池に充電するモードで動作させることを可能とする請求項２４記載の蓄電池システムの制御方法。
【請求項２６】
前記太陽光発電装置の発電電力を前記電池に蓄積された電力よりも優先して前記負荷に供給する動作、または前記電池に蓄積された電力を前記太陽光発電装置の発電電力よりも優先して前記負荷に供給する動作において、
前記太陽光発電装置の発電電力のうち余剰電力を売電するモードまたは前記太陽光発電装置の発電電力のうち余剰電力を前記電池に充電するモードで動作させることを可能とする請求項２１記載の蓄電池システムの制御方法。
【請求項２７】
前記太陽光発電装置で発生した余剰電力を売電するモードにおいて、前記太陽光発電装置の発電電力のうち前記負荷で使用されない電力を前記配電系統へ逆潮流させる請求項２１記載の蓄電池システムの制御方法。
【請求項２８】
前記余剰電力は、前記太陽光発電装置の発電電力から前記負荷の総消費電力を差し引いた電力である請求項２１記載の蓄電池システムの制御方法。
【請求項２９】
前記太陽光発電装置の発電電力を前記電池に蓄積された電力よりも優先して前記負荷に供給する動作において、前記太陽光発電装置が前記配電系統と連系する連系点よりも前記配電系統側で前記負荷に供給される電力が０よりも大きい場合、前記電池から前記負荷へ電力を供給する請求項２３記載の蓄電池システムの制御方法。
【請求項３０】
前記太陽光発電装置の発電電力を前記電池に蓄積された電力よりも優先して前記負荷に供給する動作では、前記太陽光発電装置が前記配電系統と連系する連系点よりも前記配電系統側で前記負荷に供給される電力が０よりも大きい場合、前記電池から前記負荷へ電力を供給し、
前記電池に蓄積された電力を前記太陽光発電装置の発電電力よりも優先して前記負荷に供給する動作では、前記太陽光発電装置が前記配電系統と連系する連系点よりも前記負荷側で前記負荷に供給される電力が０よりも大きい場合、前記太陽光発電装置から前記負荷へ電力を供給する請求項２６記載の蓄電池システムの制御方法。
【請求項３１】
前記太陽光発電装置の発電電力を前記電池に蓄積された電力よりも優先して前記負荷に供給する動作では、前記負荷に供給する電力として、前記太陽光発電装置が前記配電系統と連系する連系点よりも前記配電系統側の電力の測定結果を用い、
前記電池に蓄積された電力を前記太陽光発電装置の発電電力よりも優先して前記負荷に供給する動作では、前記負荷に供給する電力として、前記太陽光発電装置が前記配電系統と連系する連系点よりも前記負荷側の電力の測定結果を用いる請求項２６記載の蓄電池システムの制御方法。
【請求項３２】
配電系統からの電力および分散型電源からの電力が電池に供給され、前記電池から負荷に電力を供給される蓄電池システムの制御方法であって、
前記分散型電源からの電力を前記負荷に対して供給可能とし、かつ、
前記発電電力を前記配電系統に供給する動作または前記発電電力を前記電池に供給する動作を行うことを可能とする蓄電池システムの制御方法。
【手続補正２】
【補正対象書類名】明細書
【補正対象項目名】発明の名称
【補正方法】変更
【補正の内容】
【発明の名称】蓄電池システム、蓄電池制御装置及び蓄電池システムの制御方法
【手続補正３】
【補正対象書類名】明細書
【補正対象項目名】０００９
【補正方法】変更
【補正の内容】
【０００９】
上記目的を達成するため本発明の蓄電池システムは、配電系統から供給される電力および太陽光発電装置の発電電力を充電し、負荷に電力を供給する電池と、
前記太陽光発電装置の発電電力を前記負荷に対して供給可能とし、かつ、前記太陽光発電装置の発電電力のうち余剰電力を売電するモードまたは前記太陽光発電装置の発電電力のうち余剰電力を前記電池に充電するモードで動作させることが可能な制御部と、
を有する構成である。
または、配電系統からの電力および分散型電源からの電力が供給され、負荷に電力を供給する電池と、
前記分散型電源からの電力を前記負荷に対して供給可能とし、かつ、前記分散型電源からの電力を前記配電系統に供給する動作または前記分散型電源からの電力を前記電池に供給する動作を行うことが可能である制御部と、
を有する構成である。
本発明の蓄電池制御装置は、配電系統から供給される電力および太陽光発電装置の発電電力を充電し、負荷に電力を供給する電池を有する蓄電池システムに対して、
前記太陽光発電装置の発電電力を前記負荷へ供給可能とし、かつ、前記太陽光発電装置の発電電力のうち余剰電力を売電する動作または前記太陽光発電装置の発電電力のうち余剰電力を前記電池に充電する動作をさせることが可能な構成である。
または、配電系統から供給される電力および太陽光発電装置の発電電力を充電し、負荷に電力を供給する電池を有する蓄電池システムに対して、
前記電池に充電された電力よりも前記太陽光発電装置の発電電力を優先して前記負荷に供給する動作、または、
前記太陽光発電装置の発電電力よりも前記電池に充電された電力を優先して前記負荷に供給する動作をさせることが可能な構成である。
【手続補正４】
【補正対象書類名】明細書
【補正対象項目名】００１０
【補正方法】変更
【補正の内容】
【００１０】
一方、本発明の蓄電池システムの制御方法は、配電系統から供給される電力および太陽光発電装置の発電電力を電池に充電し、前記電池から負荷に電力を供給し、
前記太陽光発電装置の発電電力を前記負荷に対して供給可能とし、かつ、
前記太陽光発電装置の発電電力のうち余剰電力を売電するモードまたは前記太陽光発電装置の発電電力のうち余剰電力を前記電池に充電するモードで動作させることを可能とする方法である。
または、配電系統からの電力および分散型電源からの電力が電池に供給され、前記電池から負荷に電力を供給される蓄電池システムの制御方法であって、
前記分散型電源からの電力を前記負荷に対して供給可能とし、かつ、
前記発電電力を前記配電系統に供給する動作または前記発電電力を前記電池に供給する動作を行うことを可能とする方法である。